(57)【要約】【課題】  本発明はワイドモード（画面上の縦横比が９：１６のモード）の液晶表示装置におけるノーマルモード（縦横比が３：４のモード）に映像信号をディスプレイする駆動方法において、ビデオ信号が遷移される区間でブラックが出力されないことに伴う画質低下を防止する。【解決手段】  本発明は、ソース・スタート・パルス（ＳＳＰ）信号を出力する第１段階と、前記ソース・スタート・パルス（ＳＳＰ）信号に同期して周期の短いメインクロック信号を用いてブラック処理するピクセルのデータをラッチする第２段階と、映像信号が遷移する時点でデータラッチをスキップする第３段階と、周期が長いクロック信号を用いてノーマルモードに当たるピクセルデータをラッチして出力する第４段階と、更に映像信号が遷移する時点でデータラッチをスキップする第５段階を含んでなる。【選択図】  図３
2004212974.tif 000002
【特許請求の範囲】
【請求項１】
ワイドモードの液晶表示装置において入力されるアナログ映像信号をノーマルモードでディスプレイする駆動方法において、
ソース・スタート・パルス（ＳＳＰ）信号を出力する第１段階と、
前記  ソース・スタート・パルス（ＳＳＰ）に同期して周期の短いメインクロック信号を用いてブラック処理するピクセルのデータをラッチする第２段階と、
映像信号が遷移する時点でデータラッチをスキップする第３段階と、
周期が長いクロック信号を用いてノーマルモードに当たるピクセルデータをラッチして出力する第４段階と、
更に映像信号が遷移する時点でデータラッチをスキップする第５段階を含んでなることを特徴とするワイドモードの液晶表示装置におけるノーマルモードの映像信号駆動方法。
【請求項２】
前記第１段階の  ソース・スタート・パルス（ＳＳＰ）信号は、水平スタートパルスから一定時間の後に出力されることを特徴とする請求項１に記載のワイドモードの液晶表示装置におけるノーマルモード駆動方法。
【請求項３】
前記第３段階及び第５段階において、データラッチをスキップする時間は、４２ないし４５ピクセルをスキップする時間であることを特徴とする請求項１に記載のワイドモードの液晶表示装置におけるノーマルモード駆動方法。
【発明の詳細な説明】
【技術分野】
【０００１】
本発明は、液晶表示装置に関するもので、特に、ワイドモード（画面上の縦横比が９：１６のモード）の液晶表示装置においてノーマルモード（縦横比が３：４のモード）に映像信号をディスプレイする駆動方法に関する。
【背景技術】
【０００２】
情報化社会の発達と共に、表示装置に対する要求も様々な形で求められており、これに応じて最近ＬＣＤ（Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、ＥＬＤ（Ｅｌｅｃｔｒｏ  Ｌｕｍｉｎｅｓｃｅｎｔ  Ｄｉｓｐｌａｙ）、ＶＦＤ（Ｖａｃｕｕｍ  Ｆｌｕｏｒｅｓｃｅｎｔ  Ｄｉｓｐｌａｙ）など多数の平板表示装置が研究されており、一部は既に各種装備の表示装置に活用されている。
【０００３】
そのうち、現在は画質が鮮明で軽薄型、低消費電力という特長によって移動型画像表示装置の用途でＣＲＴ（Ｃａｔｈｏｄｅ  Ｒａｙ  Ｔｕｂｅ）に替わってＬＣＤが多用されており、ノ−トブックコンピューターのモニターのような移動型の用途以外にも、放送信号を受信してディスプレイするテレビ及びコンピューターのモニターなどに多様に開発されている。
【０００４】
このような、液晶表示装置は、映像信号を表示する液晶表示パネルと、外部から前記液晶表示パネルに駆動信号を印加する駆動回路とに大きく区分できる。
前記液晶表示パネルは、図示してはいないが、一定の空間を有して合着した二つの透明基板（ガラス基板）の間に液晶が注入された表示装置であって、前記二つの透明基板のうち、一つには一定間隔で配列された複数のゲートラインと、前記ゲートラインに垂直な方向に一定間隔で配列された複数のデータラインと、前記各ゲートラインとデータラインとによって定義されたマトリックス状の各画素領域に形成された複数の画素電極と、前記ゲートラインの信号によって前記データラインの信号を各画素電極に印加する複数の薄膜トランジスタが、前記各ゲートラインとデータラインとが交差する部分に形成される。また、他の基板にはカラーフィルター層、共通電極及びブラックマトリックス層が形成される。
従って、ゲートラインに順次にターンオン信号を印加すると、そのたびに該当ラインの画素電極にデータ信号が印加されるので映像が表示される。
【０００５】
駆動回路を備えている一般的な液晶表示装置を添付の図面を参照して説明する。
図１は一般的な液晶表示装置の駆動回路ブロック構成図である。
即ち、前述したように、液晶表示装置の駆動回路は、複数のゲートライン（Ｇ）と、データライン（Ｄ）とが互いに垂直な方向に配列されてマトリックス状の画素領域を有する液晶表示パネル１と、前記液晶表示パネル１に駆動信号とデータ信号とを供給する駆動回路部２と、前記液晶表示パネル１に一定の光源を提供するバックライト８とに区分される。
【０００６】
ここで、前記駆動回路部２は、前記液晶表示パネル１の各データライン（Ｄ）にデータ信号を入力するデータドライバ１ｂと、前記液晶表示パネル１の各ゲートラインにゲート駆動パルスを印加するゲートドライバ１ａと、液晶表示パネル駆動システムから入力されるディスプレイデータ（Ｒ、Ｇ、Ｂ）と垂直及び水平同期信号（Ｖｓｙｎｃ  Ｈｓｙｎｃ）、クロック信号（ＤＬＣＫ）及び制御信号（ＤＴＥＮ）を入力されて、前記液晶表示パネル１の各データドライバ１ｂ及びゲートドライバ１ａが画面を再生するに適したタイミングで各ディスプレイデータとクロック及び制御信号をフォーマットして出力するタイミングコントローラ３と、前記液晶表示パネル１及び各部に必要な電圧を供給する電源供給部４と、前記電源供給部４から電源を印加されて前記データドライバ１ｂから入力されるデジタルデータをアナログデータに変換するとき、必要な基準電圧を供給するγ基準電圧部５と、前記電源供給部４から出力された電圧を用いて液晶表示パネル１に用いる定電圧（ＶＤＤ）、ゲート高電圧（ＶＧＨ）、ゲート低電圧（ＶＧＬ）、基準電圧（Ｖｒｅｆ）及び共通電圧（Ｖｃｏｍ）などを出力するＤＣ/ＤＣ変換部６と、前記バックライト８を駆動するインバーター９とを備えて構成される。
【０００７】
前記のように構成された一般的な液晶表示装置の動作は次の通りである。
即ち、タイミングコントローラ３が、液晶表示パネルの駆動システム７から入力されるディスプレイデータ（Ｒ、Ｇ、Ｂ）、垂直及び水平同期信号及びクロック信号など制御信号（ＤＴＥＮ）を入力されて、前記液晶表示パネル１の各データドライバ１ｂ及びゲートドライバ１ａが画面を再生するのに適したタイミングで各ディスプレイデータクロック及び制御信号を提供するので、前記ゲートドライバ１ａが前記液晶表示パネル１の各ゲートラインにゲート駆動パルスを印加し、これに同期して前記データドライバ１ｂが前記液晶表示パネル１の各データラインにデータ信号を入力し、入力された映像信号をディスプレイする。
この時バックライト８は入力される映像信号の輝度に拘らず一定の明るさのバックライトを提供する。
【０００８】
このような液晶表示装置は技術が発達することによって、高速の応答特性を要求するテレビの表示装置に用いられており、その中でも画面の縦横比が９：１６のワイドモードの液晶表示装置が開発されている。前記ワイドモード画面の縦横比は、３：４のノーマルモードに比べて横方向が相対的に長く表示されるので、前記ワイドモードの液晶表示装置にノーマルモードの映像信号を表示するためには、ワイドモードの液晶表示装置の左右側の一定区間をブラック処理すべきである。
【０００９】
このように、ワイドモードの液晶表示装置にノーマルモードの映像信号を表示するための液晶表示装置の駆動方法を説明すると、次の通りである。
図２は背景技術において、ワイドモードの液晶表示装置にノーマルモードの映像信号を表示するためのタイミング図である。
先ず、１４４０×２３４の解像度（データライン数が１４４０、ゲートライン数が２３４）を有するワイドモードの液晶表示装置において、韓国で使用されている放送信号のＮＴＳＣ（National  Television  Standards  Committee）方式の映像信号を受信してディスプレイする場合を例として説明する。前記１４４０×２３４の解像度を有する液晶表示装置は、一つのピクセルがＲＧＢ三つのデータラインで駆動するので実際のピクセル数は４８０×２３４となる。従って、１ラインが４８０ピクセルで構成されたワイドモードの液晶表示装置において、ノーマルモードの映像信号をディスプレイするためには左右側の空間を各々ブラック処理すべきであり、ピクセル数としては左側及び右側で約６０ピクセルをブラック処理すべきである。
【００１０】
前記ＮＴＳＣ方式のアナログ映像信号の１水平区間（６３．５μｓ）は、図２に示すように、その前水平区間のアクティブデータ（１ラインの最後のピクセルデータ）と水平同期信号までの時間とを表す水平フロントポーチ（Horizontal  front  porch:１．５μs）、水平同期幅（４．７μs）、水平同期信号からアクティブデータ開始までの時間を示す水平バックポーチ（４．７μs）及びアクティブデータ区間（５２．６μs）からなる。
【００１１】
このような放送信号をワイドモードの液晶表示装置においてワイドモードにディスプレイする時、前記タイミングコントローラ３が入力されるメインクロック（５２．４ｎｓ）を２分割（１０４．８ｎｓ）してソース・サンプリング・クロック（ＳＳＣ）（これは、上昇又は下降エッジに基づいて映像データをラッチする）に出力し、ソース・スタート・クロック（ＳＳＰ）（これは、１水平期間の中でデータ開始点即ち、１番目のピクセルを知らせる役割をする）を有効データ区間の開始点に位置するように出力して、４８０ピクセルを同一のクロックからラッチしてアナログ有効データを５０．３μsの間出力させる。即ち、水平同期信号の上昇エッジに下降エッジが同期される水平スタートパルス（ＨＳＰ）を出力し、前記水平スタートパルスの上昇エッジで約６．２６μs（５２．４ｎｓ×２×６０）の後ソース・スタート・クロック（ＳＳＰ）を出力して４８０ピクセルを駆動させる。
【００１２】
また、前記のような放送信号をワイドモードの液晶表示装置においてノーマルモードでディスプレイする場合には、前記水平バックポーチに同期した時点でソース・スタート・クロック（ＳＳＰ）信号を出力して、１水平区間のアクティブデータ領域のうち、開始と終了の時点では非正常にディスプレイし、残りの部分では正常にディスプレイする。
即ち、ソース・スタート・クロック（ＳＳＰ）の開始点で入力されるメインクロック信号（５２．４ｎｓ）を用いて、６０個のピクセルに当たる時間（５２．４ｎｓ×６０）の間非正常にディスプレイし、３６０ピクセルを１３９．７３ｎｓのクロックにラッチしてアナログ有効データを５０．３μsの間出力させ、更に前記メインクロック信号（５２．４ｎｓ）を用いて６０個のピクセルデータを非正常にディスプレイする。
ここで、非正常にディスプレイする方法は前記区間では画面がブラック処理されることを意味する。
【００１３】
しかしながら、このようなワイドモードの液晶表示装置においてノーマルモードの映像信号をディスプレイする関連技術の駆動方法においては、次のような問題があった。
即ち、上述したように、ワイドモードの液晶表示装置においてノーマルモードで映像信号をディスプレイする場合、アクティブデータ領域のうち、開始点と終了地点との一定のピクセル（６０ピクセル）領域を非正常にディスプレイする。この時、前記ビデオ信号が遷移される区間にはブラックが出力されないので、不要な画像データが印加されてディスプレイされる画面上にラインが表示される。従って、画質が低下する。
【発明の開示】
【発明が解決しようとする課題】
【００１４】
そこで、本発明は、上記関連技術の問題点を解決するためのもので、本発明の目的は、ソース・スタート・パルス（ＳＳＰ）をより前方から出力し、クロックイネーブル信号を用いて入力される映像信号が遷移される時点ではラッチクロックをディスエーブルさせてスキップし、正確なブラックが入力された区間では６０ピクセルをラッチしてディスプレイすることにより、ノーマルモードでディスプレイする時にブラック処理された領域ではラインが表示されることを防止できるワイドモードの液晶表示装置の駆動方法を提供することにある。
【課題を解決するための手段】
【００１５】
上記目的を達成するために、本発明によるワイドモードの液晶表示装置におけるノーマルモード映像信号駆動方法は、ワイドモードの液晶表示装置において、入力されるアナログ映像信号をノーマルモードでディスプレイする駆動方法において、ソース・スタート・パルス（ＳＳＰ）信号を出力する第１段階と、前記ソース・スタート・パルス（ＳＳＰ）に同期して周期の短いメインクロック信号を用いてブラック処理するピクセルのデータをラッチする第２段階と、映像信号が遷移する時点でデータラッチをスキップする第３段階と、周期が長いクロック信号を用いてノーマルモードに当たるピクセルデータをラッチして出力する第４段階と、更に映像信号が遷移する時点でデータラッチをスキップする第５段階を含めてなることを特徴とする。
【００１６】
前記第１段階のソース・スタート・パルス（ＳＳＰ）信号は水平スタートパルス（ＨＳＰ）から一定時間の後、出力することが望ましく、前記第３及び第５段階においてデータラッチをスキップする時間は４２ないし４５ピクセルをスキップする時間であることが望ましい。
【発明の効果】
【００１７】
以上説明したように、本発明によるワイドモードの液晶表示素子におけるノーマルモード駆動方法においては次のような効果がある。
即ち、ワイドモードの液晶表示装置においてノーマルモードで映像信号をディスプレイする場合、ソース・スタート・パルス（ＳＳＰ）が出力されると、メインクロック信号（５２．４ｎｓ）を用いて正確なブラックデータが入力される短い区間で６０ピクセルのデータをラッチし、映像信号が遷移する時点ではクロックイネーブル信号をディスエーブルさせてデータラッチを強制的に抑制するので、画面の左右側の空間が正確にブラック処理されて画質を向上させることができる。
【発明を実施するための最良の形態】
【００１８】
以下、本発明の望ましい実施形態を添付の図面に基づいて詳細に説明する。
図３は本発明によるワイドモードの液晶表示装置におけるアナログノーマルモードの映像駆動方法を示したタイミング図である。
本発明による液晶表示装置の駆動回路の構成は一般的な液晶表示装置の駆動回路と類似しているが、タイミングコントローラの動作が異なる。従って、駆動回路の説明は省く。
【００１９】
また、本発明によるワイドモード液晶表示装置においてノーマルモードで映像を表示する駆動方法を説明するためのワイドモードの液晶表示装置の解像度及び映像信号も従来のような条件で説明される。
先ず、ワイドモードの液晶表示装置においてワイドモードで映像をディスプレイする方法は従来の通りである。
即ち、図３のように、前記タイミングコントローラ３が、入力されるメインクロック（５２．４ｎｓ）を２分割して（１０４．８ｎｓ）ソース・サンプリング・クロック（ＳＳＣ）を出力し、ソース・スタート・パルス（ＳＳＰ）を有効データ区間の開始点に位置するように出力して、４８０ピクセルを同一のクロックからラッチしてアナログ有効データを５０．３μsの間出力させる。即ち、水平同期信号の上昇エッジに下降エッジが同期する水平スタートパルス（ＨＳＰ）を出力し、前記水平スタートパルスの上昇エッジで約６．２６μs（５２．４ｎｓ×２×６０）の後ソース・スタート・パルス（ＳＳＰ）を出力してソース・サンプリング・クロック（ＳＳＣ）（１０４．８ｎｓ）で４８０ピクセルをラッチしてアナログ有効データを５０．３μｓの間出力させる。
【００２０】
尚、前記のような放送信号をワイドモードの液晶表示装置においてノーマルモードで映像信号をディスプレイする場合は次のとおりである。
背景技術では、前記水平バックポーチに同期した時点でソース・スタート・パルス（ＳＳＰ）信号を出力したが、本発明では、図３に示すように、前記水平スタートパルス（ＨＳＰ）の上昇エッジから約１．０４８μs（５２．４ｎｓ×２０）後にソース・スタート・パルス（ＳＳＰ）信号を出力する。また、入力されるアナログ映像信号の中で画面の左側と右側に正確なブラックカラーを出力させるために、前記ソース・スタート・パルス（ＳＳＰ）が出力されると、メインクロック信号（５２．４ｎｓ）を用いて正確なブラックデータが入力されるバックポーチの短い区間で６０ピクセルのデータをラッチし、映像信号が遷移する時点ではクロックイネーブル信号をディスエーブルさせてデータラッチを強制的に抑制する。ここで、映像信号が遷移する時点でデータラッチを強制に抑制（スキップ）させる時間はＮＴＳＣアナログ放送信号の場合、約４２ピクセルに当たる約２．２μs（５２．４ｎｓ×４２）の間抑制され、ＰＡＬアナログ放送信号の場合は、約４５ピクセルに当たる約２．３６μs（５２．４ｎｓ×４５）の間抑制される。
【００２１】
また、有効データが入力される区間では、長周期のクロック信号（１３９．７ｎｓ）を用いて３６０ピクセルデータをラッチして有効データを約５０．３μsの間出力し、更に映像信号が遷移する時点ではクロックイネーブル信号をディスエーブルさせてデータラッチを強制的に抑制し、正確なブラックデータが入力される区間で６０ピクセルのデータをメインクロック信号（５２．４ｎｓ）を用いてデータをラッチさせる。
このような方法でワイドモードの液晶表示装置におけるノーマルモードで映像信号をディスプレイさせると、液晶表示装置の左右側の空間が完全にブラック処理されるので画質が向上する。
【図面の簡単な説明】
【００２２】
【図１】一般的な液晶表示装置の駆動回路の構成図である。
【図２】背景技術のワイドモードの液晶表示装置におけるアナログノーマルモードの映像駆動方法を示すタイミング図である。
【図３】本発明によるワイドモードワイドモードの液晶表示装置におけるアナログノーマルモードの映像駆動方法を示すタイミング図である。
【図１】
2004212974.tif 000003
【図２】
2004212974.tif 000004
【図３】
2004212974.tif 000005